【手続補正書】
【提出日】平成29年7月14日(2017.7.14)
【手続補正１】
【補正対象書類名】特許請求の範囲
【補正対象項目名】全文
【補正方法】変更
【補正の内容】
【特許請求の範囲】
【請求項１】
電力をワイヤレスに伝達するための装置であって、
充電領域内に配置された充電可能デバイスを給電または充電するために十分な第1の電力レベルにおける電力を、ワイヤレスに送信するための手段と、
電力をワイヤレスに送信するための前記手段の前記第1の電力レベルの第1の電力測定値を取得するための手段と、
電力をワイヤレスに送信するための前記手段の少なくとも1つの構成要素の許容値に基づいて、前記第1の電力測定値の第1の調整電力測定値を決定するための手段と、
前記充電可能デバイスによって受信された第2の電力レベルの第2の電力測定値を取得するための手段と、
前記充電可能デバイスの少なくとも1つの構成要素の許容値に基づいて、前記第2の電力測定値の第2の調整電力測定値を決定するための手段と、
前記第1の調整電力測定値と前記第2の調整電力測定値との間の電力差がしきい値を超えるか否かを決定するための手段と
を備え、前記装置が
前記電力差が前記しきい値を超える場合、電力をワイヤレスに送信するための前記手段によって送信された電力の消費に影響を及ぼす非準拠物体の存在を検出するための手段をさらに備える、装置。
【請求項２】
電力をワイヤレスに送信するための前記手段がワイヤレス電力送信機であり、
前記ワイヤレス電力送信機に動作可能に結合されたコントローラ回路が、
前記第1の電力測定値を取得するための前記手段と、
前記第1の調整電力測定値を決定するための前記手段と、
前記第2の電力測定値を取得するための前記手段と、
前記第2の調整電力測定値を決定するための前記手段と、
前記第1の調整電力測定値と前記第2の調整電力測定値との間の電力差がしきい値を超えるか否かを決定するための前記手段と、
非準拠物体の存在を検出するための前記手段と
を提供するように構成される、請求項1に記載の装置。
【請求項３】
前記ワイヤレス電力送信機の前記少なくとも1つの構成要素の前記許容値、および、前記充電可能デバイスの前記少なくとも1つの構成要素の前記許容値が、測定許容値、ユニット間許容値、コイル抵抗許容値、電圧許容値、電流許容値、または放散電力許容値のうちの少なくとも1つに基づく、請求項2に記載の装置。
【請求項４】
前記ワイヤレス電力送信機の前記少なくとも1つの構成要素の前記許容値、および、前記充電可能デバイスの前記少なくとも1つの構成要素の前記許容値が、報告電力測定値と期待電力測定値との間の測定値差範囲を備え、前記測定値差範囲が、前記報告電力測定値が前記期待電力測定値を超える上許容割合を備え、前記測定値差範囲が、前記報告電力測定値が前記期待電力測定値未満である下許容割合をさらに備える、請求項2に記載の装置。
【請求項５】
前記コントローラ回路が、
前記ワイヤレス電力送信機の前記少なくとも1つの構成要素の各々の前記許容値の前記下許容割合に基づいて、前記第1の調整電力測定値を決定すること、および
前記充電可能デバイスの前記少なくとも1つの構成要素の各々の前記許容値の前記上許容割合に基づいて、前記第2の調整電力測定値を決定すること
を行うようにさらに構成される、請求項4に記載の装置。
【請求項６】
前記しきい値が、前記ワイヤレス電力送信機および前記充電可能デバイスにおいて取得または測定されたそれぞれの電力レベル間の前記電力差の理論的測定値、模擬測定値、または実験的測定値から取得された初期電力差に、実質的に等しくなるように最初に設定される、請求項2に記載の装置。
【請求項７】
前記コントローラ回路が、1つまたは複数の動作状態に少なくとも部分的に基づいて、前記しきい値を調整するようにさらに構成され、前記1つまたは複数の動作状態が、前記充電可能デバイスにおける動的負荷の存在、その出力電力を変化させるシステム動作点、前記充電可能デバイスの充電状態、前記ワイヤレス電力送信機の前記少なくとも1つの構成要素の前記許容値、前記充電可能デバイスの前記少なくとも1つの構成要素の前記許容値、前記第1の電力レベル、前記第2の電力測定値のばらつきの量が、あらかじめ決定されたばらつきしきい値を上回ること、前記充電可能デバイスの負荷が変化する周波数が、あらかじめ決定された最大周波数しきい値を上回ること、または、前記ワイヤレス電力送信機から前記充電可能デバイスへの電力の送信の状態のうちの、少なくとも1つを備える、請求項2に記載の装置。
【請求項８】
前記コントローラ回路が、
前記充電可能デバイスが充電中であるとき、第1のしきい値を設定すること、および
前記充電可能デバイスが充電中ではないとき、第2のしきい値を設定することであって、前記第1のしきい値が前記第2のしきい値よりも大きいこと
を行うようにさらに構成される、請求項2に記載の装置。
【請求項９】
前記コントローラ回路が、
前記第1の電力レベルがXに等しいか、Yに等しいかを決定し、ただし、XがYよりも大きいこと、
前記第1の電力レベルがXに等しい場合、前記しきい値を第1のしきい値に設定すること、ならびに
前記第1の電力レベルがYに等しい場合、前記しきい値を第2のしきい値に設定することであって、前記第1のしきい値が前記第2のしきい値よりも大きいこと
を行うようにさらに構成される、請求項2に記載の装置。
【請求項１０】
前記コントローラ回路が、
前記第2の電力レベルがXに等しいか、Yに等しいかを決定し、ただし、XがYよりも大きいこと、
前記第2の電力レベルがXに等しい場合、前記しきい値を第1のしきい値に設定すること、ならびに
前記第2の電力レベルがYに等しい場合、前記しきい値を第2のしきい値に設定することであって、前記第1のしきい値が前記第2のしきい値よりも大きいこと
を行うようにさらに構成される、請求項2または9に記載の装置。
【請求項１１】
前記電力差が、前記第1の調整電力測定値から前記第2の調整電力測定値を減算することによって決定される、請求項2に記載の装置。
【請求項１２】
前記コントローラ回路が、
前記電力差が前記しきい値を超える回数Nをカウントすることであって、Nが1よりも大きい整数であること、および
Nが最大カウント値を超える場合、前記非準拠物体が存在すると決定すること
を行うようにさらに構成される、請求項2に記載の装置。
【請求項１３】
前記コントローラ回路が、前記非準拠物体が存在すると決定する場合、前記ワイヤレス電力送信機が、オフになり、前記第1の電力レベルを調整し、かつ/または、前記ワイヤレス電力送信機から前記充電可能デバイスへの電力の送信の状態を変化させ、前記非準拠物体が、損害を受けたデバイス、充電規格に準拠していないデバイス、前記ワイヤレス電力送信機と通信することができない物体もしくはデバイス、または、前記ワイヤレス電力送信機の磁場に結合する金属物体のうちの少なくとも1つを含む、請求項12に記載の装置。
【請求項１４】
電力をワイヤレスに伝達するための方法であって、
充電領域内に配置された充電可能デバイスを給電または充電するために十分な第1の電力レベルにおける電力を、ワイヤレスに送信するステップと、
ワイヤレス電力送信機の前記第1の電力レベルの第1の電力測定値を取得するステップと、
前記ワイヤレス電力送信機の少なくとも1つの構成要素の許容値に基づいて、前記第1の電力測定値の第1の調整電力測定値を決定するステップと、
前記充電可能デバイスによって受信された第2の電力レベルの第2の電力測定値を取得するステップと、
前記充電可能デバイスの少なくとも1つの構成要素の許容値に基づいて、前記第2の電力測定値の第2の調整電力測定値を決定するステップと、
前記第1の調整電力測定値と前記第2の調整電力測定値との間の電力差がしきい値を超えるか否かを決定するステップと
を含み、前記方法がさらに、
前記電力差が前記しきい値を超える場合、前記ワイヤレス電力送信機によって送信された電力の消費に影響を及ぼす非準拠物体の存在を検出するステップをさらに含む、方法。
【請求項１５】
前記ワイヤレス電力送信機の前記少なくとも1つの構成要素の前記許容値、および、前記充電可能デバイスの前記少なくとも1つの構成要素の前記許容値が、測定許容値、ユニット間許容値、コイル抵抗許容値、電圧許容値、電流許容値、または放散電力許容値のうちの少なくとも1つに基づく、または
前記ワイヤレス電力送信機の前記少なくとも1つの構成要素の各々の前記許容値、および、前記充電可能デバイスの前記少なくとも1つの構成要素の各々の前記許容値が、報告電力測定値と期待電力測定値との間の測定値差範囲を備え、前記測定値差範囲が、前記報告電力測定値が前記期待電力測定値を超える上許容割合を備え、前記測定値差範囲が、前記報告電力測定値が前記期待電力測定値未満である下許容割合をさらに備える、請求項14に記載の方法。